(57)【要約】【課題】  従来のアラーム機能付き指針表示式電子時計でアラーム設定時刻の変更を行なうには、前回設定したアラーム設定時刻表示位置に到達するまで待ってからでなければ修正動作を行なうことができなかった。【解決手段】  通常運針モードおよび他のモードを有し、切換え操作により前記他のモードに移行すると共に、対応した設定指示値までモード切替えの為の運針を行ない、かつ修正操作により前記設定指示値を修正可能な電子時計において、前記他のモード切替えの為の移行を行なう際、対応した設定指示値まで運針を行なっている途中に設定指示値の修正操作を行なった場合には、直ちに運針を停止し設定指示値の修正が可能となる様に構成した。【選択図】      図１
2005257581.tif 000002
【特許請求の範囲】
【請求項１】
通常運針モードおよび他のモードを有し、切換え操作により前記他のモードに移行すると共に、対応した設定指示値までモード切替えの為の運針を行ない、かつ修正操作により前記設定指示値を修正可能な電子時計において、前記他のモード切替えの為の移行を行なう際、対応した設定指示値まで運針を行なっている途中に設定指示値の修正操作を行なった場合には、直ちに運針を停止し設定指示値の修正が可能となる様に構成したことを特徴とする指針表示式電子時計。
【請求項２】
前記他のモードが、アラーム時刻設定モードであり、前記設定指示値がアラーム設定時刻であることを特徴とする請求項１に記載の指針表示式電子時計。
【発明の詳細な説明】
【技術分野】
【０００１】
本発明は、アラーム機能等の付加機能を備えた指針表示式電子時計に関するものである。
【背景技術】
【０００２】
従来よりアラーム機能付きの指針表示式電子時計として、指針を現在時刻の表示状態と付加機能に関する表示状態との両方に、選択的に切り換えられるように構成され、ステップモータの高速駆動による指針の高速運針によって表示の切り換えを行なっていたものがあり、出願についても多く見るところである。（例えば特許文献１、同２、同３参照）
【０００３】
以下に従来のアラーム機能付き指針表示式電子時計の指針表示切り換え方法について図面を用いて説明する。図２及び図３は、本発明および従来のアラーム機能付き指針表示式電子時計を示すものであり、図２は外観図、図３は機能ブロック線図を表す。図２において、指針１は表示部材であり、プッシュボタン３が押し込み位置３ａにある場合には現在時刻に関する表示状態、引き出し位置３ｂにある場合にはアラーム設定時刻に関する表示状態となっている。リューズ２は通常位置２ａの他に１段引き位置２ｂの状態があり、１段引き位置２ｂに設定されているときに回転させることで時刻の修正を行なうことが出来るように構成されている。図３において、スイッチブロック１６は図２におけるプッシュボタン３およびリューズ２から構成されており、プッシュボタン３の押し込み位置３ａまたは引き出し位置３ｂの状態や、リューズ２の通常位置２ａまたは１段引き位置２ｂ、さらには１段引き位置２ｂでのリューズ回転状態の有無といった各スイッチの入力状態をスイッチ入力制御回路１７で検出しその状態を出力している。水晶振動子を用いた発振回路１１からの出力信号は、分周回路１２で比較的低周波の信号に分周された後、運針制御回路１８を介してモータ駆動信号形成回路１３や計数処理回路１９に入力される。モータ駆動回路１４は、モータ駆動信号形成回路１３から供給されてくる信号に応じて、ステップモータ１５を駆動する。また、計数処理回路１９は、現在時刻やアラーム設定時刻、指針位置を計数する各カウンターとその比較回路からなっており、運針制御回路１８からの信号に応じて指針位置カウンタが更新される都度、現在時刻もしくはアラーム設定時刻のカウンタとの比較が行なわれ、一致した場合に信号が出力されるようになっている。
【０００４】
次に動作について説明する。まず、図２に実線で示されるように、プッシュボタン３が押し込み位置３ａにあって、リューズ２が通常位置２ａに設定されているとき、即ち通常携帯状態にあるときは、時計は現在時刻表示状態となるように構成されている。この状態では、運針制御回路１８は分周回路１２からの分周信号のうち、通常運針に必要な１Ｈｚの信号を選択し、モータ駆動信号形成回路１３に出力されステップモータ１５が駆動されることで1秒運針が行なわれる。一方、計数処理回路１９にも出力され、計数処理回路１９の内部カウンタが１秒運針と同じタイミングで更新されてその比較一致結果が出力される。
【０００５】
この状態からプッシュボタン３が引かれ、引き出し位置３ｂに設定されると、アラーム設定時刻表示状態となり、運針制御回路１８はスイッチ入力制御回路１７を通してこれを検出すると、分周回路１２からの分周信号のうち１Ｈｚ以上の早い周波数、例えば６４Ｈｚの信号を選択しモータ駆動信号形成回路１３および計数処理回路１９に出力する。モータ駆動信号形成回路１３ではこれを受け、モータ駆動回路１４を通してステップモータ１５が高速駆動され、６４Ｈｚのタイミングすなわち１５．６２５ｍｓ運針が行なわれる。一方計数処理回路１９では同じく６４Ｈｚのタイミングで内部カウンタが更新されるが、アラーム設定時刻表示状態であることから指針位置とアラーム設定時刻の計数値の比較が
行なわれ、一致結果が出力されたところで運針制御回路１８からの６４Ｈｚの出力が停止する。
【０００６】
この状態では、計数処理回路19内部の指針位置カウンタはアラーム設定時刻の計数値になっており、指針１も対応するアラーム設定時刻を指している。ここで、アラーム設定時刻を修正するには、リューズ２を引いて１段引き位置２ｂに設定する。この状態からリューズ２を回転させることでスイッチ入力制御回路１７がこれを検出し、運針制御回路１８へ出力する。運針制御回路１８はスイッチ入力制御回路１７を介してこれを検出すると、分周回路１２からの分周信号のうち、例えば３２Ｈｚの信号を選択しモータ駆動信号形成回路１３および計数処理回路１９に出力が行なわれ、ステップモータ１５が駆動されて指針１が運針され、同時に計数処理回路１９の内部カウンタが更新される。このように、リューズの回転量に応じてアラーム設定時刻が修正される。リューズの回転を検出するスイッチを有し、スイッチブロック１６に含まれることは言うまでもない。なお、スイッチ入力制御回路１７では回転方向の検出も行なっており、逆回転時は指針１を逆方向に回転させ、計数処理回路１９の内部カウンタもダウンカウントさせるような構成となっているが、公知の技術でありここでは説明を省略する。
【０００７】
上述の動作を図４を用いて詳細に説明する。図４は従来のアラーム機能付き指針表示式電子時計の動作を表すフローチャートである。ステップＳ２１から始まり、プッシュボタン３は押し込み位置３ａに、リューズ２は通常位置２ａにあるものとすると、ステップＳ２２では通常運針すなわち１秒運針が行なわれている。ステップＳ２３はプッシュボタン３の設定位置により時計が通常時刻表示状態であるか、アラーム時刻設定表示状態であるかの時計の状態を判断し、押し込み位置３ａであれば通常運針のままであるためステップＳ２２に戻って１秒運針を継続し、引き出し位置３ｂの場合にはアラーム設定時刻表示状態であるとして次のステップＳ２４に進む。ステップＳ２４では運針制御回路１８からの６４Ｈｚの信号に同期して高速運針が行なわれ、Ｓ２５で指針１がアラーム時刻設定位置になるまでこれを続け、計数処理回路１９からの一致結果が出力されることにより指針１がアラーム時刻設定位置に到達したことが検出されると運針を停止して次のステップへと進む。ステップＳ２６でリューズ２が引かれて１段引き位置２ｂになったことを検出すると、ステップＳ２７に進み、更にリューズ２が早回し回転されたことが検出されると、ステップＳ２８に進み早修正が行なわれ、リューズ２を回転させることで運針制御回路１８からの３２Ｈｚの信号に同期して運針が行なわれる。ここで、リューズ２の回転操作による指針の修正動作であるが、一般的には、大まかな目標指針位置までは、３２Ｈｚなどの早い信号で運針が行なわれ、設定位置近傍に来ると１６〜４Ｈｚ程度の遅い信号もしくはステップ運針に切り換えて、最終的に所望の位置で指針を停止させることで、アラーム設定時刻の設定を完了することになるのだが、これにはリューズの次のような回転操作により実現することができる。まず早い運針だが、これはリューズの連続回転によるもので、一方向へ所定の時間以上連続して回転操作が継続したことを検出した場合である。次にステップ運針だが、これはリューズの瞬間的な回転操作にほぼ同期して指針がその都度最小運針単位をステップ移動するものである。リューズの瞬間的と認められる時間よりは長く、かつ早い修正と認識される所定の時間以下の範囲で回転操作が継続される間は、遅い運針が行なわれることになる。ステップＳ２８でリューズの連続回転により早い運針が開始され、設定すべきアラーム設定時刻に対応する目標指針位置に近づいたところで、リューズ操作により遅い運針もしくはステップ運針に切り換え、ステップＳ２９において目標位置に到達したことを確認した後、ステップＳ３０でリューズ２が操作されて通常位置２ａに戻され、ステップＳ３１でアラーム設定時刻の設定が完了し、プッシュボタン３の操作により押し込み位置３ａになると、ステップＳ３２で指針１を現在時刻表示位置に早送りで戻して再度ステップＳ２２から通常運針を行なうことになる。
【０００８】
【特許文献１】特公平４−１８７８号公報（第６−８頁、第３−４図）
【特許文献２】特開昭６０−２１３８８０号公報
【特許文献３】特開昭５３−５１７７０号公報
【発明の開示】
【発明が解決しようとする課題】
【０００９】
しかしながら、従来のアラーム機能付き指針表示式電子時計でアラーム設定時刻の変更を行なう際、プッシュボタン３が引かれて引き出し位置３ｂに設定され、アラーム設定時刻表示状態に移行して指針１が現在時刻位置からアラーム設定時刻位置に向かって高速運針している間は、リューズ２を１段引き位置２ｂに設定しても即座にアラーム設定時刻を修正することができず、前回設定したアラーム設定時刻表示位置に到達するまで待ってからでなければ修正動作を行なうことができなかった。特に、アラーム設定時刻と現在時刻とが離れているような状況、例えばアラームが午前５時に設定されていて、これを午後１１時の時点でアラーム設定時刻を変更しようとする場合には、指針１が現在時刻からアラーム設定時刻までの６時間分を移動するまで待つ必要があり、例え６４Ｈｚの高速運針だとしても、６時間÷６４Ｈｚ＝０．０９３７５時間、即ち５分間以上待たねばならなかった。
【００１０】
本発明の目的は、上記課題を解決しようとするもので、従来のアラーム機能付き指針表示式電子時計が持つ、アラーム設定時刻修正の際の前回設定位置まで運針する時間、即ち修正動作が可能となるまでの時間など、通常モード以外の他のモードでの修正動作開始時間を、簡単な方法で短縮することが可能な付加機能を備えた時計を提供することにある。
【課題を解決するための手段】
【００１１】
上記目的を達成するための本発明の要旨は、通常運針モード以外の他のモードへの切替えの為の移行を行なう際、対応した付加機能の設定指示値の位置（例えばアラーム設定時刻）まで運針を行なっている途中に設定指示値の修正操作を行なった場合には、直ちに運針を停止し設定指示値の修正が可能となる様に構成したことを特徴とする。
【００１２】
また、前記他のモードが、アラーム時刻設定モードであり、前記設定指示値がアラーム設定時刻であることを特徴とする。
【発明の効果】
【００１３】
上記のごとく本発明によれば、通常モードにおける現在時刻表示位置から、アラーム等の他のモードにおける所定の設定時刻表示位置まで運針が行なわれている途中で修正操作を行なうと、直ちに運針を停止して設定時刻の修正状態となるため、設定時刻に指針が移動するまで待つ必要がなくなり短時間で修正動作を開始することができるため、設定時間の短縮が可能となる。
【発明を実施するための最良の形態】
【００１４】
以下図面により本発明の実施の形態を詳述する。図２及び図３は、本発明の一実施形態を示すアラーム機能付き指針表示式電子時計であり、図２は外観図、図３は機能ブロック線図を表す。
【実施例１】
【００１５】
まず本発明の構成を図面に基づいて説明する。図２において、指針１は表示部材であり、プッシュボタン３が押し込み位置３ａにある場合には現在時刻に関する表示状態、引き出し位置３ｂにある場合にはアラーム設定時刻に関する表示状態となっている。リューズ
２は通常位置２ａの他に１段引き位置２ｂの状態があり、１段引き位置２ｂに設定されているときに回転させることで時刻の修正を行なうことが出来るように構成されている。図３において、スイッチブロック１６は図２におけるプッシュボタン３およびリューズ２から構成されており、プッシュボタン３の押し込み位置３ａまたは引き出し位置３ｂの状態や、リューズ２の通常位置２ａまたは１段引き位置２ｂ、さらには１段引き位置２ｂでのリューズ回転状態の有無といった各スイッチの入力状態をスイッチ入力制御回路１７で検出しその状態を出力している。水晶振動子を用いた発振回路１１からの出力信号は、分周回路１２で比較的低周波の信号に分周された後、運針制御回路１８を介してモータ駆動信号形成回路１３や計数処理回路１９に入力される。モータ駆動回路１４は、モータ駆動信号形成回路１３から供給されてくる信号に応じて、ステップモータ１５を駆動する。また、計数処理回路１９は、現在時刻やアラーム設定時刻、指針位置を計数する各カウンターとその比較回路からなっており、運針制御回路１８からの信号に応じて指針位置カウンタが更新される都度、現在時刻もしくはアラーム設定時刻のカウンタとの比較が行なわれ、一致した場合に信号が出力されるようになっている。
【００１６】
次に上述の構成であるアラーム機能付き指針表示式電子時計の指針表示切り換え動作について説明する。まず、図２に実線で示されるように、プッシュボタン３が押し込み位置３ａにあって、リューズ２が通常位置２ａに設定されているとき、即ち通常携帯状態にあるときは、時計は現在時刻表示状態となるように構成されている。この状態では、運針制御回路１８は分周回路１２からの分周信号のうち、通常運針に必要な１Ｈｚの信号を選択し、モータ駆動信号形成回路１３に出力されステップモータ１５が駆動されることで1秒運針が行なわれる。一方、計数処理回路１９にも出力され、計数処理回路１９の内部カウンタが１秒運針と同じタイミングで更新されてその比較一致結果が出力される。
【００１７】
この状態からプッシュボタン３が引かれ、引き出し位置３ｂに設定されると、アラーム設定時刻表示状態となり、運針制御回路１８はスイッチ入力制御回路１７を通してこれを検出すると、分周回路１２からの分周信号のうち１Ｈｚ以上の早い周波数、例えば６４Ｈｚの信号を選択しモータ駆動信号形成回路１３および計数処理回路１９に出力する。モータ駆動信号形成回路１３ではこれを受け、モータ駆動回路１４を通してステップモータ１５が高速駆動され、６４Ｈｚのタイミングすなわち１５．６２５ｍｓ運針が行なわれる。一方計数処理回路１９では同じく６４Ｈｚのタイミングで内部カウンタが更新されるが、アラーム設定時刻表示状態であることから指針位置とアラーム設定時刻の計数値の比較が行なわれ、不一致である場合、即ち指針１がアラーム設定時刻位置にまだ到達していない場合には、指針位置カウンタは計数を続ける。この指針位置カウンタの更新動作は、指針位置とアラーム設定時刻の計数値の比較結果が一致するか、もしくはリューズ２が操作され１段引き位置２ｂに設定されるまで継続される。ここで、リューズ２が１段引き位置２ｂにセットされ、時刻修正状態となると、計数制御回路１９は指針位置カウンタの計数値をアラーム設定時刻カウンタにセットする。これにより見かけ上、指針位置とアラーム設定時刻の各カウンタの計数値が同一となり、一致結果が出力されることで運針制御回路１８からの６４Ｈｚの出力が停止する。
【００１８】
この状態では、計数処理回路１９内部の指針位置カウンタはアラーム設定時刻の計数値になっており、指針１はリューズ２が操作されて１段引き位置２ｂに設定された時に停止した位置を指し示しており、仮のアラーム設定時刻となっている。ここで、目的とするアラーム設定時刻に合わせこむには、このリューズ２が１段引き位置２ｂに設定されている状態から回転させることでスイッチ入力制御回路１７がこれを検出し、運針制御回路１８へ出力する。運針制御回路１８はスイッチ入力制御回路１７を通してこれを検出すると、分周回路１２からの分周信号のうち、例えば３２Ｈｚの信号を選択しモータ駆動信号形成回路１３および計数処理回路１９に出力が行なわれ、ステップモータ１５が駆動されて指針１が運針され、同時に計数処理回路１９の内部カウンタが更新される。このように、リ
ューズ２の回転量に応じてアラーム設定時刻が修正される。なお、スイッチ入力制御回路１７では回転方向の検出も行なっており、逆回転時は指針１を逆方向に回転させ、計数処理回路１９の内部カウンタもダウンカウントさせるような構成となっているが、ここでは説明を省略する。
【００１９】
上述の動作を図１を用いて詳細に説明する。図１は本発明のアラーム機能付き指針表示式電子時計の動作を表すフローチャートである。ステップＳ１からＳ３までは従来のフローチャート図４のステップＳ２１からＳ２３と同一である。まずステップＳ１から始まり、プッシュボタン３は押し込み位置３ａに、リューズ２は通常位置２ａにあるものとすると、ステップＳ２では通常運針すなわち１秒運針が行なわれている。ステップＳ３はプッシュボタン３の設定位置により時計が通常時刻表示状態であるか、アラーム時刻設定表示状態であるかの時計の状態を判断し、押し込み位置３ａであれば通常運針のままであるためステップＳ２に戻って１秒運針を継続し、引き出し位置３ｂの場合にはアラーム設定時刻表示状態であるとして次のステップＳ４に進む。ステップＳ４ではまず指針１がアラーム時刻設定位置に設定されたかどうかの検出が行なわれ、まだ設定位置に到達していなければ、ステップＳ５に進み運針制御回路１８からの６４Ｈｚの信号に同期して高速運針が行なわれる。次にステップＳ６ではリューズ２が引かれたかどうかを検出しており、引かれていない場合、即ち通常位置２ａに設定されている場合には再びステップＳ４に戻り、指針１がアラーム時刻設定位置に設定されたかどうかの検出、続いてステップＳ５の高速運針が実行される。この一連の動作は、指針１がアラーム設定時刻位置に到達するか、リューズ２が操作されて１段引き位置２ｂに設定されるまで継続され、その間指針１は連続的に高速駆動されることになる。ここで、リューズ２が引かれ、１段引き位置２ｂになったことがステップＳ６で検出されると、ステップＳ４には戻らないため運針は停止し、次のステップＳ７に進む。ステップＳ７ではリューズ２の回転操作により、指針１がその時点で停止した位置からアラーム設定時刻の早修正が行なえる状態となっている。このステップＳ７からＳ１２までの各ステップは、従来のフローチャート図４のステップＳ２７からＳ３２と同一である。まず、ステップＳ８において早修正が行なわれ、リューズ２を回転させることで運針制御回路１８からの３２Ｈｚの信号に同期して運針が行なわれる。まず、ステップＳ８でリューズの連続回転により早い運針が開始され、設定すべきアラーム設定時刻に対応する目標指針位置に近づいたところで、リューズ操作により遅い運針もしくはステップ運針に切り換え、ステップＳ９において目標位置に到達したことを確認した後、ステップＳ１０でリューズ２が操作されて通常位置２ａに戻され、ステップＳ１１でアラーム設定時刻の設定が完了し、プッシュボタン３の操作により押し込み位置３ａになると、ステップＳ１２で指針１を現在時刻表示位置に早送りで戻して再度ステップＳ２から通常運針を行なうことになる。
【００２０】
例えば今、現在時刻が午後１１時であるとして、午前５時に設定されているアラーム設定時刻を午前２時に設定変更する場合を考えてみる。まず、プッシュボタン３を操作して引き出し位置３ｂに設定すると、指針１は現在時刻である午後１１時から、その時点でのアラーム設定時刻である午前５時に向かって高速で移動を開始する。そして途中、午前２時前あたりに指針が位置したところで、リューズ２を操作して１段引き位置２ｂの状態で指針１を停止させる。この状態からリューズ２を回転させて、目的とするアラーム設定時刻位置になるように修正を行ない、ここでは午前２時の位置に指針が来たところでリューズ２を操作して通常位置２ａに戻すことでアラーム時刻設定の修正が完了する。さらにプッシュボタン３を押し込み位置３ａにすることで指針１が現在時刻表示位置に移動し、通常運針を再開する。
【００２１】
なお、本実施例では、他のモードをアラーム時刻設定モードとし、設定指示値をアラーム設定時刻としたが、上記付加機能がアラーム機能に限らず、タイマー機能におけるカウントダウン開始時刻の設定、デュアルタイム表示機能での一方の時刻設定、水深計あるい
は高度計機能における深度あるいは高度アラーム値の設定などが考えられる。また、クロノグラフ、方位計など、その他の付加機能に対しても本発明による技術の考え方を利用することもできる。
【００２２】
以上のように、アラーム設定時刻を変更する際、現在時刻からアラーム設定時刻に移動する途中に変更したい設定時刻があるような場合には、移動途中のその位置で指針を停止させて即座に修正動作が行なえることから、余分な指針の移動による時間のロスを無くすことができるため、アラーム設定時刻の変更が短時間で行なえる利便性の高い時計を提供できる。
【図面の簡単な説明】
【００２３】
【図１】本発明の一実施例の形態を示す指針表示式電子時計の動作を示すフローチャートである。
【図２】本発明の一実施例の形態を示す指針表示式電子時計の外観図である。
【図３】本発明の一実施例の形態を示す指針表示式電子時計の回路ブロック線図である。
【図４】従来の指針表示式電子時計の動作を示すフローチャートである。
【符号の説明】
【００２４】
１  指針
２  リューズ
３  プッシュボタン
１１  発振回路
１２  分周回路
１３  モータ駆動信号形成回路
１４  モータ駆動回路
１５  ステップモータ
１６  スイッチブロック
１７  スイッチ入力制御回路
１８  運針制御回路
１９  計数処理回路
【図１】
2005257581.tif 000003
【図２】
2005257581.tif 000004
【図３】
2005257581.tif 000005
【図４】
2005257581.tif 000006